(57)【要約】【課題】一枚の表紙に折り曲げ部を設け、フィルムを接着した台紙であり、また、この台紙の半円型の切り欠き部と丸型の接着部材を設けることで二以上の台紙を連設しアルバムにすることができるデジタル写真用台紙を提供する。【解決手段】表紙に折り曲げ部を設けそれらを折り、それを周縁押さえ部とし、フィルムを設け剥離紙で覆った接着部材でこれらの周縁押さえ部を接着し、写真のフレームを設けることができ、写真の保管と作業工程の削減を特徴とする。さらに、この写真台紙の半円型の切り欠き部に、丸型の接着部材を接着することで二以上の写真台紙を連設でき、アルバムとすることを特徴とする。また、ハードカバーを接着連設することもでき、デザイン性が高いことも特徴とする。【選択図】図１
2004330759.tif 000002
【特許請求の範囲】
【請求項１】
表紙（１）に折り曲げ部（２）、（３）を設けそれらを折り、（７）裏部に剥離紙で覆った接着部材（１１）を設け接着し、それにより（４）、（５）、（６）、（７）、を表紙（９）面の周縁押さえ部とし、フィルム（３３）を設け剥離紙で覆った接着部材（３４）にこれらの周縁押さえ部を接着し、台紙の中枠すなわち写真のフレームを設けることができ、写真を一枚入れることのできるデジタル写真用台紙。
【請求項２】
表紙（１３）に折り曲げ部（１４）、（１６）を設けそれらを折り、（２０）裏部と（２６）裏部にそれぞれ剥離紙で覆った接着部材（２２）、（２８）を設け接着し、それにより（１７）、（１８）、（１９）、（２０）、を表紙（３１）面の周縁押さえ部とし、また（２３）、（２４）、（２５）、（２６）、を表紙（３０）面の周縁押さえ部とし、フィルム（３５）、（３７）を設け剥離紙で覆った接着部材（３６）、（３８）でこれらの周縁押さえ部を接着し、台紙の中枠すなわち写真のフレームを設けることができ写真を二枚入れることのできるデジタル写真用台紙。
【請求項３】
二以上の表紙（１）または表紙（１３）に折り曲げ部（５１）を設けた丸型の接着部材（５０）で接着し連設することができ、また表紙（１００）と裏表紙（１０４）を設け、丸型の接着部材（５０）で接着し、アルバムにすることができる請求項１、２に記載したデジタル写真用台紙。
【発明の詳細な説明】
【０００１】
【発明の属する技術分野】
この発明は一枚の表紙に折り曲げ部を設け、フィルムを接着した写真台紙であり、また、この台紙に設けた半円型の切り欠き部と丸型の接着部材を設けることで二以上の台紙を連設しアルバムにすることができるデジタル写真用台紙に関するものである。
【０００２】
【従来の技術】
従来、写真台紙は複数の部材を設け接着するもがあり、その結果作業工程が多く生産に時間がかかる。
【０００３】
【発明が解決しようとする課題】
これには次のような欠点があった。
複数の部材を接着する為、作業工程が多く手間がかり、それらを製造する際、目検討で接着する為、曲がりやすく、ずれてしまうことが多かった。
またこれらの台紙は単体のみでしか使用できなかった。
本発明は、以上のような欠点を失くすためになされたものである。
【０００４】
【課題を解決するための手段】
この発明は上記課題を解決して目的を達成するために発明したものであり、請求項１に係る発明は表紙（１）に折り曲げ部（２）、（３）を設けそれらを折り、（７）裏部に剥離紙で覆った接着部材（１１）を設け接着し、それにより（４）、（５）、（６）、（７）を表紙（９）面の周縁押さえ部とし、フィルム（３３）を設け剥離紙で覆った接着部材（３４）でこれらの周縁押さえ部を接着し、台紙の中枠すなわち写真のフレームを設けることができ、写真を一枚入れることのできるデジタル写真用台紙である。
また、請求項２に係る発明は、表紙（１３）に折り曲げ部（１４）、（１６）を設けそれらを折り、（２０）裏部と（２６）裏部にそれぞれ剥離紙で覆った接着部材（２２）、（２８）を設け接着し、それにより（１７）、（１８）、（１９）、（２０）、を表紙（３１）面の周縁押さえ部とし、また（２３）、（２４）、（２５）、（２６）、を表紙（３０）面の周縁押さえ部とし、フィルム（３５）、（３７）を設け剥離紙で覆った接着部材（３６）、（３８）でこれらの周縁押さえ部を接着し、台紙の中枠すなわち写真のフレームを設けることができ写真を二枚入れることのできるデジタル写真用台紙である。
さらに、請求項３に関るに発明は、二以上の台紙（１）または台紙（１３）に折り曲げ部（５１）を設けた丸型の接着部材（５０）で接着し連設でき、また表紙（１００）と裏表紙（１０４）を設け接着し丸型の接着部材（５０）で接着し、アルバムにすることができるデジタル写真用台紙である。
【０００５】
【発明の実施の形態】
以下、本発明にかかるデジタル写真用台紙の基本的な実施の形態を図１、２に示す。
表紙（１）にミシン目の折り曲げ部（２）と半切りの折り曲げ部（３）を設ける。
表紙（１）のミシン目折り曲げ部（２）を山折にし、半切りの折り曲げ部（３）を谷折りにする。
（７）裏部に剥離紙で覆った接着部材（１１）を設け、（７）裏部と（８）裏部を接着する。それにより（４）、（５）、（６）、（７）を表紙（９）面の周縁押さえ部とする。
図２の表紙（１３）は、ミシン目折り曲げ部（１４）と半切りの折り曲げ部（１６）を設ける。
表紙（１３）のミシン目折り曲げ部（１４）を山折にし、半切りの折り曲げ部（１６）を谷折りにする。
（２０）裏部と（２６）裏部に剥離紙で覆った接着部材（２２）、（２８）を設け、（２０）、（２１）の裏部、（２６）、（２７）の裏部のそれぞれを接着する。それにより（１７）、（１８）、（１９）、（２０）が表紙（３１）面の周縁押さえ部になり、（２３）、（２４）、（２５）、（２６）が表紙（３０）面の周縁押さえ部とする。
図３は表紙（１）の（９）面にフィルム（３３）をのせ、剥離紙で覆った接着部材（３４）に周縁押さえ部（５）、（６）、（７）をそれぞれ接着する。
表紙（９）面上部より写真を一枚差し入れることができ、周縁押さえ部（４）を接着する。それにより周縁押さえ部は写真のフレームとなり一面の写真台紙が出来上がる。
図４は表紙（１３）の（３１）面にフィルム（３５）をのせ、剥離紙で覆った接着部材（３６）に周縁押さえ部（１８）、（１９）、（２０）をそれぞれ接着し、同様に表紙（３０）面にフィルム（３７）をのせ、剥離紙で覆った接着部材（３８）に周縁押さえ部（２４）、（２５）、（２６）を接着する。
表紙（３０）面上部と表紙（３１）面上部よりそれぞれ写真を一枚ずつ差し入れることができ、周縁押さえ部（１７）、（２３）をそれぞれ接着する。それにより周縁押さえ部は写真のフレームとなり二面の写真台紙が出来上がる。
図５は中央に折り曲げ部（５１）を設けた丸型の接着部材（５０）である。
図６は、表紙（１）の（９）面に半円型切り欠き部（１２）を四箇所設け、（１０）面にも２箇所の半円型切り欠き部（１５）を設ける。また、表紙（１３）の（３０）面に半円型の切り欠き部（３２）を四箇所設け、（３１）面にも半円型の切り欠き部（４２）を四箇所設ける。
表紙（１）の（９）面の切り欠き部（１２）に丸型の接着部材（５０）の（５３）面を接着し、表紙（１３）の（３０）面の切り欠き部（３２）に丸型の接着部材（５０）の（５２）面を接着する。この接着をそれぞれの切り欠き部に行う。これにより二以上の写真台紙の連設が可能となる。
図７は、硬質の角型の部材（１０１）に半円型切り欠き部（１０３）を設けた台紙（１０２）を接着した表紙部（１００）である。また、裏紙部（１０４）も同じもので、硬質の角型の部材（１０７）に半円型切り欠き部（１０６）を設けた台紙（１０５）を接着したものである。
図８は表表紙（１００）の（１０２）面に設けた半円型切り欠き部（１０３）に丸型の接着部材（５０）の（５２）面を接着し、表紙（１３）の（３１）面に設けた半円型切り欠き部（４２）に丸型の接着部材（５０）の（５３）を接着する。
裏表紙（１０４）の（１０５）面に設けた半円型切り欠き部（１０６）に丸型の接着部材（５０）の（５３）面を接着し、表紙（１）の（１０）面に設けた半円型切り欠き部（１５）に丸型の接着部材（５０）の（５２）面を接着する。
本発明は以上のような構成で、これを使用するときは、一面の写真台紙、あるいは２面の写真台紙となったものを単体で使用することも可能だが、それらを二以上接着連設し、アルバムとしても使用する。連設のやり方によって丸型の接着部材を本体の背側と小口側の両方に接着すると本型のアルバムになり、小口側のみ接着することで蛇腹型のアルバムとして使用できる。
またこの丸型の接着部材を用いた接着方法は、表紙のサイズにより、切り欠き部と丸型の接着部材を増やして対応する。
さらに、アルバムとしてのデザイン性を高めるため、表表紙、裏表紙を接着し、ハードカバーとして使用できる。
【０００６】
【発明の効果】
本発明のデジタル写真用台紙は、一の表紙に抜き加工をすることで、作業工程を極めて少なくしたという第一の効果を有する。
また、折り曲げ、接着することで写真のフレームとなる部分ができ、フィルムを設けたことで薄手のデジタル写真のレキ化を防ぎ保管性を高めたという第二の効果を有する。さらに、この台紙は、表紙のサイズの変えることにより従来のアナログ写真にも対応できる。
写真台紙となったものを単体でも使用することと、二以上の台紙を増設可能とし、アルバムに提供ができるという第三の効果を有する。
これは写真台紙本体に半円型切り欠き部を設け、その部分に丸型接着部材をはめ込むように接着することにより、二以上の台紙が増設可能となるのだが、半円型の切り欠き部に、同型の接着部材を設けたことにより、それを連設接着する際の見当となり、接着を簡単にし、二以上の台紙をずれることなくきれいに接着することができるという第四の効果を有する。
また、台紙単体のデザイン性の高さと、その連設した台紙をより体裁よくするために、ハードカバーを設け装着することができるという第五の効果を有する。
【図面の簡単な説明】
【図１】本発明に係るデジタル写真用台紙の一例を示す図
【図２】本発明に係るデジタル写真用台紙の他の一例を示す図
【図３】図１に示す台紙の周縁押さえ部を折り曲げ、フィルムを接着する状態を示す図
【図４】図２に示す台紙の周縁押さえ部を折り曲げ、フィルムを接着する状態を示す図
【図５】本発明に係る台紙を複数連設するための丸型接着部材を示す図
【図６】図３、４に示す台紙を図５に示す接着部材で接着連設する状態を示す図
【図７】本発明に係るデジタル写真用台紙の表表紙、裏表紙の一例を示す図
【図８】図７に示した表表紙、裏表紙と、接着連設した写真台紙を図５に示す接着部材で接着する状態を示す図
【符号の説明】
１    表紙
２    ミシン目折り曲げ部
３    半切り折り曲げ部
４    周縁押さえ部
５    周縁押さえ部
６    周縁押さえ部
７    周縁押さえ部
８    周縁押さえ部
９    表紙部
１０    表紙部
１１    剥離紙で覆った接着部材
１２    半円型切り欠き部
１３    表紙
１４    ミシン目折り曲げ部
１６    半切り折り曲げ部
１７    周縁折り曲げ部
１８    周縁折り曲げ部
１９    周縁折り曲げ部
２０    周縁折り曲げ部
２１    周縁折り曲げ部
２２    剥離紙で覆った接着部材
２３    周縁折り曲げ部
２４    周縁折り曲げ部
２５    周縁折り曲げ部
２６    周縁折り曲げ部
２７    周縁折り曲げ部
２８    剥離紙で覆った接着部材
３０    表紙部
３１    表紙部
３２    半円型切り欠き部
３３    フィルム
３４    剥離紙で覆った接着部材
３５    フィルム
３６    剥離紙で覆った接着部材
３７    フィルム
３８    剥離紙で覆った接着部材
４２    半円型切り欠き部
５０    丸型接着部材
５１    折り曲げ部
５２    丸型接着部材部
５３    丸型接着部材部
４２    半円型切り欠き部
１００    硬質の角型部材
１０１    角型台紙
１０２    半円型の切り欠き部をもうけた角型台紙
１０３    半円型切り欠き部
１０４    硬質の角型部材
１０５    半円型の切り欠き部をもうけた角型台紙
１０６    半円型切り欠き部
１０７    角型台紙
【図１】
2004330759.tif 000003
【図２】
2004330759.tif 000004
【図３】
2004330759.tif 000005
【図４】
2004330759.tif 000006
【図５】
2004330759.tif 000007
【図６】
2004330759.tif 000008
【図７】
2004330759.tif 000009
【図８】
2004330759.tif 000010